(57)【要約】【課題】  複数基の穀物乾燥機を被乾燥穀物の流れからみて直列的に稼働することにより、被乾燥穀物の張り込みから乾燥仕上がり穀物の搬出に至る工程を間断なく連続処理することができる連続穀物乾燥方法およびその装置を提供する。【解決手段】  複数基の乾燥機を備えていてその第１号乾燥機１−１から第２号乾燥機１−２へ、以下順次最終号乾燥機まで順次被乾燥穀物を継送する直列継送構造である。複数基の各乾燥機は張り込まれた被乾燥穀物が最小処理量に達したことを検出する機能と、乾燥中の被乾燥穀物が予定乾燥水分に達したことを検出する機能とを備えている。各乾燥機において最小処理量の検出により乾燥を開始し、予定乾燥水分の検出により第１号乾燥機から最終号乾燥機までは被乾燥穀物の継送を開始し、最終号乾燥機は乾燥仕上がり穀物を搬出する制御機能を備えている。【選択図】        図１
2005207713.tif 000002
【特許請求の範囲】
【請求項１】
被乾燥穀物の張り込みから乾燥仕上がり穀物の搬出に至る工程を間断なく連続処理する連続穀物乾燥方法であって、
複数基の乾燥機を備えていてその第１号乾燥機に張り込まれた被乾燥穀物が最小処理量に達すると被乾燥穀物の張り込みを続けながら乾燥を開始するとともに、第１号乾燥機において乾燥中の被乾燥穀物が予定乾燥水分に達すると第１号乾燥機から第２号乾燥機に被乾燥穀物を継送し、
第２号乾燥機に継送された被乾燥穀物が最小処理量に達すると被乾燥穀物の継送を続けながら乾燥を開始するとともに、第２号乾燥機において乾燥中の被乾燥穀物が予定乾燥水分に達すると第２号乾燥機から次号乾燥機に被乾燥穀物を継送して、以下順最終号乾燥機まで上記動作を繰り返すことにより最終号乾燥機から乾燥仕上がり穀物を搬出することを特徴とする連続穀物乾燥方法。
【請求項２】
被乾燥穀物の張り込みから乾燥仕上がり穀物の搬出に至る工程を間断なく連続処理する連続穀物乾燥方法であって、
複数基の乾燥機は前段の乾燥機と後段の乾燥機の２基で構成されていてその前段の乾燥機に張り込まれた被乾燥穀物が最小処理量に達すると被乾燥穀物の張り込みを続けながら乾燥を開始するとともに、前段の乾燥機において乾燥中の被乾燥穀物が予定乾燥水分に達すると前段の乾燥機から後段の乾燥機に被乾燥穀物を継送し、
後段の乾燥機に継送された被乾燥穀物が最小処理量に達すると被乾燥穀物の継送を続けながら乾燥を開始するとともに、後段の乾燥機において乾燥中の被乾燥穀物が予定乾燥水分に達すると後段の乾燥機から乾燥仕上がり穀物を搬出することを特徴とする連続穀物乾燥方法。
【請求項３】
被乾燥穀物の張り込みから乾燥仕上がり穀物の搬出に至る工程を間断なく連続処理する連続穀物乾燥装置であって、
複数基の乾燥機を備えていてその第１号乾燥機から第２号乾燥機へ、以下順次最終号乾燥機まで順次被乾燥穀物を継送する直列継送構造を成し、
複数基の各乾燥機は張り込まれた被乾燥穀物が最小処理量に達したことを検出する機能と、乾燥中の被乾燥穀物が予定乾燥水分に達したことを検出する機能とを備えており、
各乾燥機において最小処理量の検出により乾燥を開始し、予定乾燥水分の検出により第１号乾燥機から最終号乾燥機までは被乾燥穀物の継送を開始し、最終号乾燥機は乾燥仕上がり穀物を搬出する制御機能を備えていることを特徴とする連続穀物乾燥装置。
【請求項４】
被乾燥穀物の張り込みから乾燥仕上がり穀物の搬出に至る工程を間断なく連続処理する連続穀物乾燥装置であって、
複数基の乾燥機は前段の乾燥機と後段の乾燥機の２基で構成されていてその前段の乾燥機から後段の乾燥機へ被乾燥穀物を継送する直列継送構造を成し、
各乾燥機は張り込まれた被乾燥穀物が最小処理量に達したことを検出する機能と、乾燥中の被乾燥穀物が予定乾燥水分に達したことを検出する機能とを備えており、
各乾燥機において最小処理量の検出により乾燥を開始し、予定乾燥水分の検出により前段の乾燥機は被乾燥穀物の継送を開始し、後段の乾燥機は乾燥仕上がり穀物を搬出する制御機能を備えていることを特徴とする連続穀物乾燥装置。
【発明の詳細な説明】
【技術分野】
【０００１】
本発明は、被乾燥穀物の張り込みから乾燥仕上がり穀物の搬出に至る工程を間断なく連続処理する連続穀物乾燥方法およびその装置に関するものである。
【背景技術】
【０００２】
大規模な穀物乾燥施設においては、その規模に応じて数機から１０数機の穀物乾燥機を設備しており、各穀物乾燥機に対しては被乾燥穀物の投入ラインや搬出ラインを設けている。これら複数基の穀物乾燥機は、被乾燥穀物の張り込みから乾燥仕上げに至るまで各別に稼働させており、被乾燥穀物の張り込みから乾燥仕上げまでの工程において穀物乾燥機相互の連携については何ら考慮されていなかった。
【０００３】
これら大規模な穀物乾燥施設については、特開平５−１４９６８３号公報、特開平５−２１５４６２号公報または特開平９−１０１０８２号公報等にその態様が開示されている。
【特許文献１】特開平５−１４９６８３号公報
【特許文献２】特開平５−２１５４６２号公報
【特許文献３】特開平９−１０１０８２号公報
【発明の開示】
【発明が解決しようとする課題】
【０００４】
前掲の特許文献１ないし３において紹介されているように、従来の大規模な穀物乾燥施設においては、複数基の穀物乾燥機ごとに被乾燥穀物の投入ラインおよび搬出ラインを必要とするので処理量からみた規模が大掛かりなものとなり、また、複数基の穀物乾燥機を各別に制御するところから、たとえ特開平９−１０１０８２号公報に示すように集中制御盤を備えたとしても、被乾燥穀物の張り込みから乾燥仕上げまでの工程管理が煩雑で施設の管理運営上の問題としてその改善が要望されていた。
【０００５】
本発明は、この種の穀物乾燥施設における上述のような課題を解決するものであって、複数基の穀物乾燥機を備えた大規模な施設であっても、複数基の穀物乾燥機を被乾燥穀物の流れからみて直列的に稼働することにより、被乾燥穀物の張り込みから乾燥仕上がり穀物の搬出に至る工程を間断なく連続処理することができる連続穀物乾燥方法およびその装置を提供することを目的とするものである。
【課題を解決するための手段】
【０００６】
上記目的を達成するための本発明の請求項１に係る連続穀物乾燥方法は、被乾燥穀物の張り込みから乾燥仕上がり穀物の搬出に至る工程を間断なく連続処理する連続穀物乾燥方法であって、複数基の乾燥機を備えていてその第１号乾燥機に張り込まれた被乾燥穀物が最小処理量に達すると被乾燥穀物の張り込みを続けながら乾燥を開始するとともに、第１号乾燥機において乾燥中の被乾燥穀物が予定乾燥水分に達すると第１号乾燥機から第２号乾燥機に被乾燥穀物を継送し、第２号乾燥機に継送された被乾燥穀物が最小処理量に達すると被乾燥穀物の継送を続けながら乾燥を開始するとともに、第２号乾燥機において乾燥中の被乾燥穀物が予定乾燥水分に達すると第２号乾燥機から次号乾燥機に被乾燥穀物を継送して、以下順最終号乾燥機まで上記動作を繰り返すことにより最終号乾燥機から乾燥仕上がり穀物を搬出することを特徴とするものである。
【０００７】
本発明の請求項２に係る連続穀物乾燥方法は、被乾燥穀物の張り込みから乾燥仕上がり穀物の搬出に至る工程を間断なく連続処理する連続穀物乾燥方法であって、複数基の乾燥機は前段の乾燥機と後段の乾燥機の２基で構成されていてその前段の乾燥機に張り込まれた被乾燥穀物が最小処理量に達すると被乾燥穀物の張り込みを続けながら乾燥を開始するとともに、前段の乾燥機において乾燥中の被乾燥穀物が予定乾燥水分に達すると前段の乾燥機から後段の乾燥機に被乾燥穀物を継送し、後段の乾燥機に継送された被乾燥穀物が最小処理量に達すると被乾燥穀物の継送を続けながら乾燥を開始するとともに、後段の乾燥機において乾燥中の被乾燥穀物が予定乾燥水分に達すると後段の乾燥機から乾燥仕上がり穀物を搬出することを特徴とするものである。
【０００８】
また、本発明の請求項３に係る連続穀物乾燥装置は、被乾燥穀物の張り込みから乾燥仕上がり穀物の搬出に至る工程を間断なく連続処理する連続穀物乾燥装置であって、複数基の乾燥機を備えていてその第１号乾燥機から第２号乾燥機へ、以下順次最終号乾燥機まで順次被乾燥穀物を継送する直列継送構造を成し、複数基の各乾燥機は張り込まれた被乾燥穀物が最小処理量に達したことを検出する機能と、乾燥中の被乾燥穀物が予定乾燥水分に達したことを検出する機能とを備えており、各乾燥機において最小処理量の検出により乾燥を開始し、予定乾燥水分の検出により第１号乾燥機から最終号乾燥機までは被乾燥穀物の継送を開始し、最終号乾燥機は乾燥仕上がり穀物を搬出する制御機能を備えていることを特徴とするものである。
【０００９】
本発明の請求項４に係る連続穀物乾燥装置は、被乾燥穀物の張り込みから乾燥仕上がり穀物の搬出に至る工程を間断なく連続処理する連続穀物乾燥装置であって、複数基の乾燥機は前段の乾燥機と後段の乾燥機の２基で構成されていてその前段の乾燥機から後段の乾燥機へ被乾燥穀物を継送する直列継送構造を成し、各乾燥機は張り込まれた被乾燥穀物が最小処理量に達したことを検出する機能と、乾燥中の被乾燥穀物が予定乾燥水分に達したことを検出する機能とを備えており、各乾燥機において最小処理量の検出により乾燥を開始し、予定乾燥水分の検出により前段の乾燥機は被乾燥穀物の継送を開始し、後段の乾燥機は乾燥仕上がり穀物を搬出する制御機能を備えていることを特徴とするものである。
【発明の効果】
【００１０】
本発明に係る連続穀物乾燥方法およびその装置によれば、複数基の穀物乾燥機を被乾燥穀物の流れからみて直列的に稼働することにより、被乾燥穀物の張り込みから乾燥仕上がり穀物の搬出に至る工程を間断なく連続処理することができる。
【発明を実施するための最良の形態】
【００１１】
図１は本発明の一実施の形態に係る連続穀物乾燥装置の平面的模式図、図２は同上側面的模式図である。
【００１２】
図に示すように、本発明に係る連続穀物乾燥装置１は、複数基の乾燥機すなわち第１号乾燥機１−１，第２号乾燥機１−２ないし第ｎ号乾燥機１−ｎを備えており、これら第１号乾燥機１−１，第２号乾燥機１−２ないし第ｎ号乾燥機１−ｎは、乾燥槽２に被乾燥穀物（籾）を張り込み、循環昇降機３を介して循環を繰り返しながら加温風により通風乾燥する構成のものであるが、遠赤外線乾燥方式を併用したものであってもよい。４は張込昇降機であって第１号乾燥機１−１に被乾燥穀物を張り込むためのものである。第１号乾燥機１−１，第２号乾燥機１−２ないし第ｎ号乾燥機１−ｎの乾燥槽２には下限センサ５および上限センサ６を備えており、下限センサ５は張り込まれた被乾燥穀物の最小処理量を検出するものであり、上限センサ６はその張り込み上限を検出するものであって、過剰張り込みが生じた際に被乾燥穀物の張り込みを停止させるためのものである。７は張込コンベア、８は繰出ロールである。第１号乾燥機１−１，第２号乾燥機１−２ないし第ｎ号乾燥機１−ｎに併設された循環昇降機３にはそれぞれ水分計９を備えている。これら水分計９は、それぞれ乾燥中の被乾燥穀物が予定乾燥水分に達したことの検出及び排出中の穀物の水分を検出するためのものである。
【００１３】
複数基の乾燥機は制御装置１０によって制御され、その第１号乾燥機１−１に張り込まれた被乾燥穀物が最小処理量に達すると被乾燥穀物の張り込みを続けながら乾燥を開始するとともに、第１号乾燥機において乾燥中の被乾燥穀物が予定乾燥水分に達すると第１号乾燥機から第２号乾燥機に被乾燥穀物を継送し、第２号乾燥機に継送された被乾燥穀物が最小処理量に達すると被乾燥穀物の継送を続けながら乾燥を開始するとともに、第２号乾燥機において乾燥中の被乾燥穀物が予定乾燥水分に達すると第２号乾燥機から第３号乾燥機に被乾燥穀物を継送し、継送された被乾燥穀物が最小処理量に達すると被乾燥穀物の継送を続けながら乾燥を開始する。以下順次第ｎ号乾燥機１−ｎまで上記動作を繰り返すことにより第ｎ号乾燥機１−ｎから乾燥仕上がり穀物を搬出するように構成されている。
【００１４】
上記のように構成において、第１号乾燥機１−１においては，張り込み被乾燥穀物量と予定乾燥水分に達して第２号乾燥機１−２に継送される被乾燥穀物量および乾燥速度との関係において、第１号乾燥機１−１の乾燥槽２が満量状態とならないように制御装置１０からの指令によって制御される。第２号乾燥機１−２，第３号乾燥機１−３ないし第ｎ号乾燥機１−ｎ号乾燥機においても、それぞれ同様に制御装置１０からの指令によって制御される。
【００１５】
したがって、第１号乾燥機１−１に被乾燥穀物を連続的に張り込むことができ、第１号乾燥機１−１，第２号乾燥機１−２ないし第ｎ号乾燥機１−ｎによって被乾燥穀物が連続乾燥処理され、第ｎ号乾燥機１−ｎから乾燥仕上がり穀物が連続的に搬出される。なお、第ｎ号乾燥機１−ｎから搬出される乾燥仕上がり穀物は温度の高い状態であるから、必要であれば図１・図２に示すように通風冷却機１１（乾燥機と同構成であって常温風を通風するもの）を併設すれば、常温の乾燥仕上がり穀物として搬出することができる。
【００１６】
本発明に係る連続穀物乾燥装置１は、前記のように複数基の乾燥機を多くするほど大量の被乾燥穀物を円滑に連続乾燥処理できるが、最小限２基の乾燥機をもって構成することが可能である。すなわち、複数基の乾燥機は前段の乾燥機と後段の乾燥機の２基で構成されていてその前段の乾燥機から後段の乾燥機へ被乾燥穀物を継送する直列継送構造とし、各乾燥機は張り込まれた被乾燥穀物が最小処理量に達したことを検出する機能と、乾燥中の被乾燥穀物が予定乾燥水分に達したことを検出する機能とを備える。そして、各乾燥機において最小処理量の検出により乾燥を開始し、予定乾燥水分の検出により前段の乾燥機は被乾燥穀物の継送を開始し、後段の乾燥機は乾燥仕上がり穀物を搬出する制御機能を備えるとよい。なお、これについては図示しないこととする。
【産業上の利用可能性】
【００１７】
本発明に係る連続穀物乾燥方法およびその装置は、収穫して生脱穀した生籾、収穫後圃場で天日乾燥した半乾燥籾のいずれの連続乾燥処理も可能であるが、特に半乾燥籾の連続乾燥処理に適している。このため、日本国内においても可能な限り圃場において天日乾燥を施したうえ乾燥処理することにより省エネルギーを達成できるものである。
【００１８】
また、中国や東南アジア全般においては収穫後の圃場における天日による乾燥が普及しているので、殊に中国においては半乾燥籾を大量に集積して仕上げ乾燥する大規模システムの構築に大いに寄与するものである。
【図面の簡単な説明】
【００１９】
【図１】本発明の一実施の形態に係る連続穀物乾燥装置の平面的模式図である。
【図２】同上側面的模式図である。
【符号の説明】
【００２０】
１  連続穀物乾燥装置
１−１  第１号乾燥機
１−２  第２号乾燥機
１−ｎ  第ｎ号乾燥機
２  乾燥槽
３  循環昇降機
４  張込昇降機
５  下限センサ
６  上限センサ
７  張込コンベア
８  繰出ロール
９  水分計
１０  制御装置
１１  通風冷却機
【図１】
2005207713.tif 000003
【図２】
2005207713.tif 000004